(57)【要約】【課題】移動体に特別な装置を取り付けることなく、かつ大量の流体を使用することなく、移動体の全ての方向から摺動面と案内面との間へ侵入しようとする大小さまざまな大きさの異物の侵入を防ぐすべり案内装置を提供する。【解決手段】すべり案内装置1,11は、基台2の案内面2a上を潤滑油を介して摺動させられる摺動面3a,13aを有する移動体3,13を備えた工作機械のすべり案内装置1,11であって、摺動面3a,13aの外縁部35,135と案内面2aとの隙間7,17が、外縁部35,135より内側の部分と案内面2aとの隙間8,18よりも大きくなされており、摺動面3a,13aの外縁部35,135に開口して流体を案内面2a上に吐出する吐出通路36,136が移動体3,13に形成されている。【選択図】図１
2018003964.tif 000002
【特許請求の範囲】
【請求項１】
基台の案内面上を潤滑油を介して摺動させられる摺動面を有する移動体を備えた工作機械のすべり案内装置であって、
摺動面の外縁部と案内面との隙間が、外縁部より内側の部分と案内面との隙間よりも大きくなされており、
摺動面の外縁部に開口して流体を案内面上に吐出する吐出通路が移動体に形成された、すべり案内装置。
【請求項２】
摺動面の外縁部における吐出通路開口より外側の部分に、下方に突出した凸部が全周に亘って形成され、
凸部と案内面との隙間が、吐出通路開口と案内面との隙間より小さく、かつ外縁部より内側の部分と案内面との隙間よりも大きくなされている、請求項１記載のすべり案内装置。
【発明の詳細な説明】
【技術分野】
【０００１】
この発明は、工作機械に使用される案内装置における移動体の摺動面と基台の案内面との間に異物が侵入することを阻止するすべり案内装置に関するものである。
【背景技術】
【０００２】
工作機械のすべり案内装置は、基台上に案内面が形成され、移動体に形成された摺動面が案内面上を摺動することにより移動体を案内する。
移動体は基台上を摺動するので、基台の案内面と移動体の摺動面との間に切粉などの異物が侵入すると、すべり案内装置は潤滑不良となり焼き付きや工作機械の故障の原因となる。
【０００３】
これを防止するために、摺動面と案内面との間への切粉の侵入を防止する手段として、移動体の進行方向前方の案内面上にエアを吐出する手段や、洗浄液でリニアガイドの案内レールを洗浄する手段がある。
【０００４】
洗浄液で案内レールを洗浄する従来のすべり案内装置として、例えば、平坦な案内面を備えた基台と、案内面と摺接する摺動面を有し基台に対して相対移動する移動体とを備え、案内面上に洗浄液を吐出して案内面を洗浄するものが知られている（下記の特許文献１参照）。
【先行技術文献】
【特許文献】
【０００５】
【特許文献１】特開２００８−２１５５３９号公報
【発明の概要】
【発明が解決しようとする課題】
【０００６】
上記のようなすべり案内装置は、案内面上にエアを吐出する場合、移動体にエアを吐出する専用の装置を取り付ける必要があるので装置が大型化し、洗浄液で案内面を洗浄する場合、大量の洗浄液が必要となり吐出位置によって洗浄液の流速が不均一となるので問題となる。さらに、これらの手段は、移動体の移動方向側方から摺動面と案内面との間に侵入する異物を除去することが困難であった。
【０００７】
この発明の目的は、移動体に特別な装置を取り付けることなく、かつ大量の流体を使用することなく、移動体の全ての方向から摺動面と案内面との間へ侵入しようとする大小さまざまな大きさの異物の侵入を防ぐすべり案内装置を提供することにある。
【課題を解決するための手段】
【０００８】
この発明のすべり案内装置は、基台の案内面上を潤滑油を介して摺動させられる摺動面を有する移動体を備えた工作機械のすべり案内装置であって、摺動面の外縁部と案内面との隙間が、外縁部より内側の部分と案内面との隙間よりも大きくなされており、摺動面の外縁部に開口して流体を案内面上に吐出する吐出通路が移動体に形成されたものである。
【０００９】
この発明において、摺動面の外縁部における吐出通路開口より外側の部分に、下方に突出した凸部が全周に亘って形成され、凸部と案内面との隙間が、吐出通路開口と案内面との隙間より小さく、かつ外縁部より内側の部分と案内面との隙間よりも大きくなされていることが好ましい。
【００１０】
このようにすると、摺動面の外縁部における吐出口より外側の部分に凸部が形成されていると、吐出される流体の量が第１実施形態のすべり案内装置の場合と同じであっても、流体は、第１の実施形態のすべり案内装置に比べて、凸部によって、移動体の前側および後側の案内面上では左右方向に、移動体の左側および右側の案内面上では前後方向に誘導されて拡散されやすくなる。
【００１１】
したがって、この実施形態のすべり案内装置は、第１実施形態のすべり案内装置に比べて、隣り合う吐出口の間隔を大きくすることができるので、移動体に形成する吐出口および吐出通路を少なくすることができる。
【発明の効果】
【００１２】
この発明によるすべり案内装置によると、移動体に特別な装置を取り付けることなく、さらに多量の流体を使用することなく、移動体の全ての方向から摺動面と案内面との間へ侵入しようとする大小さまざまの大きさの異物の侵入を防ぐことができる。
【００１３】
すなわち、移動体の前後方向および左右方向から摺動面と案内面との間に異物が侵入しようとしても、移動体の吐出通路から吐出された流体が、移動体の前後方向の外方および左右方向の外方に向かって流れるので、摺動面と案内面との間への異物の侵入を阻止することができる。また、吐出通路は移動体の外縁部に形成されているので、吐出通路を備えた特別な装置を移動体に取り付けることなく、吐出通路から流体を吐出させて異物を除去することが可能となる。
【図面の簡単な説明】
【００１４】
【図１】本発明の一実施形態に係るすべり案内装置の正面図である。
【図２】同案内装置の右側面図である。
【図３】図１のIII―III線に沿う水平断面図である。
【図４】図２に示した移動体の前側外縁部を示す垂直断面部分拡大図である。
【図５】図４のV−V線に沿う水平断面平面図である。
【図６】本発明の他の実施形態に係るすべり案内装置の図３に相当する水平断面図である。
【図７】本発明の他の実施形態に係るすべり案内装置の図４に相当する垂直断面部分拡大図である。
【図８】図７のVIII−VIII線に沿う水平断面平面図である。
【発明を実施するための形態】
【００１５】
以下、図面を参照して、この発明の実施の形態を説明する。
【００１６】
この実施形態において、図１の左側を「左」、右側を「右」とし、同図の紙面手前側を「前」、奥側を「後」というものとする。
【００１７】
図１から図５にこの発明の第１の実施の形態を示している。
【００１８】
図１および図２に示すように、すべり案内装置(1)は、前後方向に延びた平坦な案内面(2a)および案内面(2a)に連なって下方に延びた側面(2b)を左右に有する基台(2)と、基台(2)の案内面(2a)に潤滑油を介して摺動させられる摺動面(3a)を有し案内面(2a)上を矢印で示すように前方移動する移動体(3)とを備えている。
【００１９】
基台(2)は、横断面方形状に形成されて旋盤のベッド（図示略）上に固定され上面が案内面(2a)となった基部(21)と、基部(21)の案内面(2a)に対して前後方向平行に延び基部(21)上に形成された摺動案内部(22)とから構成されている。摺動案内部(22)は、基部(21)の幅方向中央上面に設けられた幅狭部(22a)と、案内面(2a)に対して左右方向平行に延びて突出した突出片を有する幅広部(22b)とから成っている。摺動案内部(22)の幅方向中央に前後方向に延びた凹溝(22c)が幅広部(22b)から幅狭部(22a)に掛けて空けられている。
【００２０】
移動体(3)は、上面が平坦形状をなして前後方向に延びた上壁(31)と、上壁(31)の左右両側から垂直下向きに延びた側壁(32)と、側壁(32)から幅方向内側へ延び一部開放された下壁(33)とにより幅方向縦断面形状が略箱型形状をなして形成されている。左右側壁(32)(32)の内面間の距離は、左右側壁(32)(32)間に幅広部(22b)が嵌まるように幅広部(22b)の幅とほぼ同じ長さとされている。下壁(33)の幅方向中央は、幅狭部(22a)が嵌るように幅狭部(22a)の幅とほぼ同じ長さで開放されている。下壁(33)の下面は、摺動面(3a)となり基部(21)の案内面(2a)と潤滑油を介して接している。
【００２１】
移動体(3)は、幅広部(22b)を囲うようにかつ下壁(33)の幅方向中央が幅狭部(22a)を挟むようにして摺動自在に摺動案内部(22)を嵌めている。移動体(3)の上壁(31)内面中央にはボールネジ(6)で軸支されたボールナット(34)が設けられている。凹溝(22c)はボールナット(34)よりも大きく形成されており、ボールナット(34)は、凹溝(22c)との間に空隙を空けて嵌められている。
【００２２】
移動体(3)の左右摺動面(3a)(3a)の幅方向中央には下方に開口した供給口（図示略）が形成され、摺動面(3a)に潤滑油を供給する潤滑油供給装置（図示略）が供給口の上から接続されている。
【００２３】
供給口は、左右の摺動面(3a)(3a)に１つずつ形成されてもよく、前後方向に一定の間隔を空けて複数形成されてもよい。
【００２４】
潤滑油供給装置は、潤滑油が充填された潤滑油タンク（図示略）とともにすべり案内装置(1)外に設置され、潤滑油タンクから潤滑油を受給して移動体(3)の左右摺動面(3a)に設けられた供給口から摺動面(3a)に潤滑油を供給している。摺動面(3a)に供給された潤滑油は、移動体(3)の移動によって案内面(2a)および摺動面(3a)の全面に拡散させられる。
【００２５】
図３から図５に示すように、移動体(3)の摺動面(3a)の外縁部(35)は、基台(2)の案内面(2a)との間に隙間(7)が形成されている。摺動面(3a)の外縁部(35)と案内面(2a)との隙間(7)は、外縁部(35)より内側の部分と案内面(2a)との隙間(8)よりも大きく形成されている。
【００２６】
摺動面(3a)の外縁部(35)に開口して流体を案内面(2a)上に吐出する吐出通路(36)が、移動体(3)に形成され、摺動面(3a)の外縁部(35)に形成された開口は、吐出通路を通った流体が吐出される吐出口(36a)とされている。
【００２７】
この実施形態において、摺動面(3a)の外縁部(35)に形成された吐出口(36a)は、移動体(3)の前縁部(35a)の左右両側にそれぞれ３つおよび後縁部(35b)の左右両側にそれぞれ３つ形成されており、移動体(3)の右縁部(35c)および左縁部(35d)に前後方向所定間隔を空けて複数形成されている。
【００２８】
吐出通路(36)は、摺動面(3a)に形成された吐出口(36a)から上方に円筒状にのび、移動体(3)の下壁(33)内を左右外方に垂直に屈曲して、下壁(33)の両側面までのびて形成されている。
【００２９】
移動体(3)の左右外側の両側面までのびた吐出通路(36)は移動体(3)の側面に開口し、この開口が流体を吐出通路(36)内に流入する際の吸入口とされる。すべり案内装置(1)の外部から不図示の流体供給管路が着脱可能に吸入口に接続されることにより、ポンプ等によって高圧にした流体が移動体(3)内に供給されるようになっている。ポンプ等によって高圧にされた流体の圧力は、潤滑油供給装置によって案内面(2a)上に吐出される潤滑油の圧力よりも低く設定される。吐出通路(36)は吸入口と吐出口(36a)とを連通しており、流入口から流入して吐出通路(36)を通った流体は、外縁部(35)に形成された吐出口(36a)から案内面(2a)上に吐出される。
【００３０】
移動体(3)の前縁部(35a)および後縁部(35b)に形成された吐出通路(36)は、１つの吸入口から分岐して３つの吐出口(36a)へ連通しており、右縁部(35c)および左縁部(35d)に形成された吐出通路(36)は、１つの吸入口から分岐して複数の吐出口(36a)へ連通しており、分岐した各吐出通路(36)の断面積は、流体が均等に吐出口(36a)から吐出されるように設定されている。
【００３１】
流体は、例えば、洗浄用液体とされ、油膜を発生させるものであってもよい。摺動面(3a)の外縁部(35)と案内面(2a)との隙間(7)は、流体の油膜の厚さよりも大きくなされている。
【００３２】
流体は隙間が大きい方へ流れるため、摺動面(3a)の外縁部(35)と案内面(2a)との隙間(7)が、外縁部(35)より内側の部分と案内面(2a)との隙間(8)よりも大きいと、流体は摺動面(3a)の外縁部(35)と案内面(2a)との隙間(7)の方へ流れる。
【００３３】
油膜が生じる流体の場合、例えば、発生する油膜厚さが１０μｍであれば、摺動面(3a)の外縁部(35)と案内面(2a)との隙間(7)が、１ｍｍとされると、流体は移動体(3)の前後方向の外側および左右方向の外側へ流れる。
【００３４】
図６から図８を参照して本願発明の第２の実施の形態を説明する。第１の実施の形態と同じ構成については、同じ符号を付してその説明を省略する。
【００３５】
図６から図８に示すように、移動体(13)の摺動面(13a)の外縁部(135)は、第１実施形態と同様に、基台(2)の案内面(2a)との間に隙間(17)が形成されている。摺動面(13a)の外縁部(135)と案内面(2a)との隙間(17)は、外縁部(135)より内側の部分と案内面(2a)との隙間(18)よりも大きく形成されている。
【００３６】
摺動面(13a)の外縁部(135)に開口して流体を案内面(2a)上に吐出する吐出通路(136)が、移動体(13)に形成され、摺動面(13a)の外縁部(135)に形成された開口は、吐出通路(136)を通った流体が吐出される吐出口（吐出通路開口）(136a)とされている。
【００３７】
移動体(13)の外縁部(135)における吐出口(136a)より外側の部分に、下方に突出した凸部(137)が移動体(13)の全周に亘って形成されている。これにより、凸部(137)と外縁部(135)より内側の部分との間に、吐出口(136a)を備えた凹部(138)が形成されている。
【００３８】
凸部(137)と案内面(2a)との隙間(19)は、吐出口(136a)と案内面(2a)との隙間(20)より小さく、かつ外縁部(135)より内側の部分と案内面(2a)との隙間(18)より大きく形成されている。
【００３９】
凸部(137)と案内面(2a)との隙間(19)は、油膜が生じる流体の場合、流体の油膜の厚さよりも大きくなされている。流体は隙間が大きい方へ流れるため、凸部(137)と案内面(2a)との隙間(19)が、外縁部(135)より内側の部分と案内面(2a)との隙間(18)よりも大きいと、流体は凸部(137)と案内面(2a)との隙間(19)の方へ流れる。
【００４０】
油膜を発生させる流体の場合、例えば、油膜厚さが１０μｍであれば、凸部(137)と案内面(2a)との隙間(19)が１ｍｍとされると、流体は移動体(13)の前後方向の外側および左右方向の外側へ流れる。
【００４１】
この実施形態において、摺動面(13a)の外縁部(135)に形成された吐出口(136a)は、移動体(13)の前縁部(135a)の左右両側にそれぞれ１つおよび後縁部(135b)の左右両側にそれぞれ１つ形成されており、移動体(13)の右縁部 (135c)および左縁部に前後方向所定間隔を空けて複数形成されている。
【００４２】
第１実施の形態と同様に、吐出通路(136)は、摺動面(13a)に形成された吐出口(136a)から上方に円筒状にのび、移動体(13)の下壁(133)内を左右外側に垂直に屈曲して、下壁(133)の両側面までのびて形成されている。
【００４３】
移動体(13)の下壁(133)の左右外側の両側面までのびた吐出通路(136)は移動体(13)の側面に開口し、この開口が流体を移動体(13)内に流入する際の吸入口とされる。すべり案内装置(11)の外部から不図示の流体供給管路が着脱可能に吸入口に接続されることにより、ポンプ等によって高圧にした流体が移動体(13)内に供給されるようになっている。ポンプ等によって高圧にされた流体の圧力は、潤滑油供給装置によって案内面(2a)上に吐出される潤滑油の圧力よりも低く設定される。吐出通路(136)は吸入口と吐出口(136a)とを連通しており、流入口から流入して吐出通路(136)を通った流体は、外縁部(135)に形成された吐出口(136a)から案内面(2a)上に吐出される。
【００４４】
図７に示したように、摺動面(13a)の外縁部(135)における吐出口(136a)より外側の部分に凸部(137)が形成されていると、吐出される流体の量が第１実施形態のすべり案内装置(1)の場合と同じであっても、流体は、第１の実施形態のすべり案内装置(1)に比べて、凸部(137)によって、移動体(13)の前側および後側の案内面(2a)上では左右方向に、移動体(13)の左側および右側の案内面(2a)上では前後方向に誘導されて拡散されやすくなる。
【００４５】
したがって、この実施形態のすべり案内装置(11)は、第１実施形態のすべり案内装置(1)に比べて、隣り合う吐出口(136a)の間隔を大きくすることができるので、移動体(13)に形成する吐出口(136a)および吐出通路(136)を少なくすることができる。また、この実施形態のように、凸部(137)と案内面(2a)との隙間(19)が吐出口(136a)と案内面(2a)との隙間(20)より小さいと、流体の消費流量を抑えた上で、案内面(2a)上に拡散する流体の流速を上げることができる。
【００４６】
次に、この発明のすべり案内装置(11)の作用について説明する。
【００４７】
すべり案内装置(11)の外部から接続された流体供給管路を介して吸入口から吐出通路(136)に流体が供給され、吐出口(136a)から流体が案内面(2a)上に吐出される。凸部(137)と案内面(2a)との隙間(19)が外縁部(135)より内側の部分と案内面(2a)との隙間(18)よりも大きいので、流体は、前後方向の外方および左右方向の外方へ流れる。
【００４８】
第２実施形態のすべり案内装置(11)は、吐出口(136a)の外側に凸部(137)が形成されていることにより、第１実施形態のすべり案内装置(1)よりも、流体が案内面(2a)上で拡散しやすい構成となっている。
【００４９】
以上のように、第１実施形態および第２実施形態のすべり案内装置(1)(11)では、移動体(3)(13)の前後方向および左右方向から摺動面(3a)(13a)と案内面(2a)との間に、大小さまざまな異物や液状の異物が侵入しようとしても、移動体(3)(13)の吐出口(36a)(136a)から吐出された流体が、移動体(3)(13)の前後方向の外方および左右方向の外方に向かって異物を押し流すので、摺動面(3a)(13a)と案内面(2a)との間への異物の侵入を阻止することができる。また、吐出通路(36)(136)は移動体(3)(13)の外縁部(35)(135)に形成されているので、吐出通路を備えた特別な装置を移動体に取り付けることなく、吐出口(36a)(136a)から流体を吐出させて異物を除去することが可能となる。
【符号の説明】
【００５０】
(1)(11)              すべり案内装置
(2)                  基台
(2a)                 案内面
(3)                  移動体
(3a)(13a)            摺動面
(35)(135)            外縁部
(36)(136)            吐出通路
(7)(8)(17)(18)(19)(20) 隙間
【図１】
2018003964.tif 000003
【図２】
2018003964.tif 000004
【図３】
2018003964.tif 000005
【図４】
2018003964.tif 000006
【図５】
2018003964.tif 000007
【図６】
2018003964.tif 000008
【図７】
2018003964.tif 000009
【図８】
2018003964.tif 000010